(57)【要約】【課題】ＬＥＤチップから発生する熱を、照明装置の筐体を介して効率よく熱伝導させるトンネル用ＬＥＤ照明放熱構造を提供する。【解決手段】複数のＬＥＤチップと、該複数のＬＥＤチップを支持する金属基板と、該金属基板を複数配置する支持部材で構成される光源装置と、該光源装置を駆動する電源装置と、該電源装置と前記光源装置とを取付けた筐体で構成されるトンネル用照明装置であって、前記支持部材は断面視凸字形状に成形された金属板からなり、前記金属基板の裏面に当接して接続されると共に、前記支持部材の裏面には断面視凸字形状に形成された金属板からなるヒートシンクが熱接触して取り付けられ、該ヒートシンクと前記筐体とが熱接触して接続される。【選択図】        図２
0003177278.tif 000002
【実用新案登録請求の範囲】
【請求項１】
複数のＬＥＤチップと、該複数のＬＥＤチップを支持する金属基板と、該金属基板を複数配置する支持部材で構成される光源装置と、該光源装置を駆動する電源装置と、該電源装置と前記光源装置とを取付けた筐体で構成されるトンネル用照明装置であって、前記支持部材は断面視凸字形状に成形された金属板からなり、前記金属基板の裏面に当接して接続されると共に、前記支持部材の裏面には断面視凸字形状に形成された金属板からなるヒートシンクが熱接触して取り付けられ、該ヒートシンクと前記筐体とが熱接触して接続されることを特徴とするトンネル用ＬＥＤ照明放熱構造。
【請求項２】
前記支持部材と、前記ヒートシンクと、前記筐体とは、シリコーン樹脂などからなる熱伝導性を有する粘着シートによって熱接触することを特徴とする請求項１に記載のトンネル用ＬＥＤ照明放熱構造。
【考案の詳細な説明】
【技術分野】
【０００１】
本考案は、ＬＥＤチップを使用した照明装置において、とくにトンネル内で使用される照明器具に使用され、ＬＥＤチップから発生する熱を効率よく外部に放熱できるトンネル用ＬＥＤ照明放熱構造に関するものである。
【背景技術】
【０００２】
近年、ＬＥＤを使用した照明器具が広く採用されている。とくに街灯や高天井用ライトなどに使用される灯具には高輝度ＬＥＤを多数使用して、必要とされる照度を確保する技術が広く採用されている。
【０００３】
一方、高速道路や一般道路のトンネル内では、多数のトンネル用照明器具が使用され、蛍光灯などの光源装置を利用して終日照明を行なう構造となっており、光源装置の劣化に伴う交換作業やメンテナンスに多大の時間と経費が掛かるものであった。
【０００４】
そこで本発明者らは、トンネル用照明器具や街灯用照明器具として、ＬＥＤチップを使用して長期間の使用が可能となる照明器具を提案している（特許文献１、特許文献２参照。）。
【０００５】
また、照明器具本体の背面に設けた開口に、開口を閉塞し器具本体と壁面や天井面の隙間に延出する放熱部材を設け、ＬＥＤ光源を放熱部材に直接、或いは導熱性部材を挟んで設ける構成のトンネル照明器具もある（特許文献３参照。）。
【先行技術文献】
【特許文献】
【０００６】
【特許文献１】特開２０１１−１３８６４０号公報
【特許文献２】特開２０１１−１５９５６７号公報
【特許文献３】特開２０１１−１８７３０４号公報
【考案の概要】
【考案が解決しようとする課題】
【０００７】
上記特許文献１及び２に記載の照明器具によって、電気消費量を削減し、長期間の使用を可能としたが、ＬＥＤ素子の寿命を左右する放熱技術に関してはさらなる改良が必要であった。また、特許文献３のトンネル照明器具では器具本体の背面に開口を設けて、この開口を閉塞する放熱部材をさらに設ける構成によって効果的な放熱を図るものであるが、照明装置の部品点数が増えると共に、製造コストがアップするという問題があった。
【０００８】
上記の問題点に鑑み本考案者らは、ＬＥＤチップに生じる熱を既存の照明器具の筐体を介して効果的に放熱できるトンネル用ＬＥＤ照明放熱構造を提供するに至った。
【課題を解決するための手段】
【０００９】
本考案のトンネル用ＬＥＤ照明放熱構造は、複数のＬＥＤチップと、該複数のＬＥＤチップを支持する金属基板と、該金属基板を複数配置する支持部材で構成される光源装置と、該光源装置を駆動する電源装置と、該電源装置と前記光源装置を取付けた筐体で構成されるトンネル用照明装置であって、前記支持部材は断面視凸字形状に成形された金属板からなり、前記金属基板の裏面に当接して接続されると共に、前記支持部材の裏面には断面視凸字形状に形成された金属板からなるヒートシンクが熱接触して取り付けられ、該ヒートシンクと前記筐体とが熱接触して接続されることを第一の特徴とする。
【００１０】
また、前記支持部材と、前記ヒートシンクと、前記筐体とは、シリコーン樹脂などからなる熱伝導性を有する粘着シートによって熱接触することを第二の特徴とする。
【考案の効果】
【００１１】
本考案のトンネル用ＬＥＤ照明放熱構造によれば、支持部材が断面視凸字形状に成形された金属板からなる支持部材であり、前記金属基板の裏面に当接して接続されると共に、前記ヒートシンクの裏面には断面視凸字形状に形成された金属板からなるヒートシンクが熱接触して取り付けられ、該ヒートシンクと前記筐体とが熱接触しているため、熱接触する面積を大幅に増やすことが可能となり筐体側への熱放熱がし易いという効果を有する。
【００１２】
また、前記支持部材と、前記ヒートシンクと、前記筐体とは、シリコーン樹脂などからなる熱伝導性を有する粘着シートによって接続したため、熱接触する面の密着性に優れるという効果を有する。
【図面の簡単な説明】
【００１３】
【図１】本考案に係るトンネル用ＬＥＤ照明放熱構造の照明装置を示す（ａ）は側面図、（ｂ）は平面図である。
【図２】図１の斜視図である。
【図３】放熱構造を説明する斜視図である。
【図４】図２のＡ−Ａ線に沿う断面図である。
【考案を実施するための形態】
【００１４】
以下、本考案を、実施例を示す図面を参照しながら説明するが、本考案が本実施例に限定されないことは言うまでもない。図１は本考案のトンネル用ＬＥＤ照明放熱構造の照明装置を示す（ａ）は側面図、（ｂ）は平面図、図２は図１の斜視図、図３は放熱構造を説明する斜視図、図４は図２のＡ−Ａ線に沿う断面図である。
【実施例】
【００１５】
図１乃至図３に示すように、本考案のトンネル用ＬＥＤ照明放熱構造を有する照明装置１００は、複数のＬＥＤチップ２が表面に実装された金属基板３と、この金属基板３と熱接触して取付けられる支持部材４からなる光源装置１が、筐体５に固定部材６によって取付けられている。そして、支持部材４の裏面にはヒートシンク７が取り付けられており、後述する熱伝導性を有する粘着シート１６を介して筐体５と熱接続している。
【００１６】
金属基板３はＡｌ等の熱伝導性の高い金属が使用され、その表面に電気絶縁層を介して回路（図示せず）が形成されている。そしてこの回路の所定位置に複数のＬＥＤチップ２が実装されている。
【００１７】
支持部材４は断面視凸字形状に成形されたＡｌ板からなり、その上面に金属基板３が複数熱接触して取付けられ、固定部材６に形成された矩形孔部８を跨いでネジによって取り付けられている。尚、この固定部材６には光源装置１を駆動する電源装置１０と、外部電源（図示せず）とケーブル１１を介して接続する電源端子１２と、光源装置１を調光制御する調光装置１３がさらに取り付けられ、筐体５に取り付けられている。
【００１８】
筐体５は、ステンレス板をプレス加工によって一端側が開口した椀型に成形されており、その表面は粉体塗装され、機械強度と耐候性に優れる。
【００１９】
固定部材６は、矩形のＡｌ板からなり、その４辺部にそれぞれ折り曲げ片１４を有し、略中央には前記支持部材４に対向して矩形孔部８が形成されている。そして、固定部材６の上面には、上述した電源装置１０、調光装置１３、支持部材４が取り付けられる。
【００２０】
図４に示すように、ヒートシンク７は、Ａｌ板を断面視凸字形状に成形したものであり、その凸部分は上記支持部材４の下面に密接して取付けられ、また下部折り曲げ片１５、１５にはシリコーン樹脂からなる粘着シート１６が貼着されており、この粘着シート１６を介して筐体５の内側面に熱接触して取り付けられる。
【００２１】
電源装置１０は外部交流電源（図示せず）から、上記光源装置１へ直流電力を供給するコンバータを内蔵しており、ケーブルによって光源装置１と接続して、ＬＥＤチップ２を点灯させる。また、調光装置１３はトンネル内における最適な照度を安定して供給するために電源装置１０の出力を調節する。
【００２２】
上記構成からなるトンネル用ＬＥＤ照明放熱構造は、ＬＥＤチップ２を実装した金属基板３と、この金属基板と熱接触して取付けられる支持部材４と、からなる光源装置１を固定部材６によって筐体５に取り付けると共に、支持部材４の裏面に密接して取り付けられるヒートシンク７が筐体５の内側面に粘着シート１６を介して取り付けるため、ＬＥＤチップ２で発生する熱が、金属基板３から支持部材４、及びヒートシンク７を介して、筐体５へと放熱させることができる。
【００２３】
以上、本考案のトンネル用ＬＥＤ照明放熱構造によれば、支持部材と、ヒートシンクと、筐体とを、熱接触して接続したため、筐体から外部への放熱がし易い。しかも、ヒートシンクと、筐体の内側面とがシリコーン樹脂からなる熱伝導性を有する粘着シートによって接続したため、熱接触する面積を大幅に増やすことが可能となり筐体側への熱放熱がし易すく、ＬＥＤチップの劣化を防止できる。
【符号の説明】
【００２４】
１          光源装置
２         ＬＥＤチップ
３          金属基板
４          支持部材
５          筐体
６          固定部材
７          ヒートシンク
８          矩形孔部
１０          電源装置
１１          ケーブル
１２          電源端子
１３          調光装置
１４          折り曲げ片
１５          下部折り曲げ片
１６          粘着シート
１００          照明装置
【図１】
0003177278.tif 000003
【図２】
0003177278.tif 000004
【図３】
0003177278.tif 000005
【図４】
0003177278.tif 000006